(57)【要約】【課題】耐久性及び操縦安定性に優れる空気入りタイヤ２２の提供。【解決手段】このタイヤ２２では、ビード３０及びクリンチ２８の部分が、周方向に延在し、リム８６に嵌め合わされる嵌合部６８を構成しており、この嵌合部６８が、その外面として、半径方向内側に位置する底面７４と、この底面７４の半径方向外側に位置するサイド面７６とを有している。このサイド面７６が周方向に延在する凹み１００を有している。クリンチ２８は、半径方向内側に位置する内側クリンチ２８ｉと、この内側クリンチ２８ｉの半径方向外側に位置する外側クリンチ２８ｏとを有している。上記凹み１００の底Ｐｂが内側クリンチ２８ｉ内に位置しており、外側クリンチ２８ｏのゴム硬度Ｈｓｏが、内側クリンチ２８ｉのゴム硬度Ｈｓｉより高くされている。【選択図】図３
2015174526.tif 000002
【特許請求の範囲】
【請求項１】
その外面がトレッド面をなすトレッドと、
それぞれが上記トレッドの端から半径方向略内向きに延びる一対のサイドウォールと、  それぞれがサイドウォールの端から半径方向略内向きに延びる一対のクリンチと、
それぞれがコアを有し且つクリンチよりも軸方向内側に位置する一対のビードと、
上記トレッド及び上記サイドウォールの内側に沿って一方のビードと他方のビードとの間に架け渡されたカーカスとを備えており、
上記クリンチが、半径方向内側に位置する内側クリンチと、この内側クリンチの半径方向外側に位置する外側クリンチとを有しており、
上記ビード及びクリンチの部分が、周方向に延在し、リムに嵌め合わされる嵌合部を構成しており、
この嵌合部が、その外面として、半径方向内側に位置する底面と、この底面の半径方向外側に位置するサイド面とを有しており、
このサイド面が、周方向に延在する凹みを有しており、
この凹みの底が、上記内側クリンチ内に位置しており、
上記外側クリンチのゴム硬度Ｈｓｏが、内側クリンチのゴム硬度Ｈｓｉより高くされている、空気入りタイヤ。
【請求項２】
上記外側クリンチのゴム硬度Ｈｓｏと、内側クリンチのゴム硬度Ｈｓｉとの差Ｈｓｏ−Ｈｓｉが、２以上５以下である、請求項１に記載の空気入りタイヤ。
【請求項３】
上記外側クリンチのゴム硬度Ｈｓｏが、６７以上６９以下である、請求項１または２に記載の空気入りタイヤ。
【請求項４】
上記内側クリンチのゴム硬度Ｈｓｉが、６３を超えている、請求項１から３のいずれかに記載の空気入りタイヤ。
【請求項５】
上記底面が、その軸方向外側にヒールを備えており、
このタイヤの周方向に対して垂直な断面において、上記底面の軸方向外側端を第一基準点とし、この第一基準点を通り軸方向に延びる仮想直線を第一基準線とし、この第一基準点を通り半径方向に延びる仮想直線を第二基準線としたとき、
上記ヒールが上記第一基準線上に中心を有し上記第一基準点を始点とする第一円弧で表され、
上記第一基準点において、上記ヒールと上記サイド面とが接しており、
上記凹みが、上記第二基準線から軸方向内向きに窪んでおり、
上記第一基準点から上記凹みの底までの軸方向距離ｄが１．０ｍｍ以上２．０ｍｍ以下である、請求項１から４のいずれかに記載の空気入りタイヤ。
【請求項６】
上記ビードが、コアと、このコアから半径方向外向きに延びるエイペックスとを備えており、
上記凹みの底が、上記コアの中心よりも半径方向外側に位置している、請求項１から５のいずれかに記載の空気入りタイヤ。
【発明の詳細な説明】
【技術分野】
【０００１】
本発明は、空気入りタイヤに関する。詳細には、本発明は、空気入りタイヤのクリンチを含むビード部分の改良に関する。
【背景技術】
【０００２】
図５には、従来のタイヤ２のビード４の部分が示されている。このタイヤ２は、ビード４の軸方向外側にクリンチ６を備えている。このタイヤ２は、このビード４の半径方向内側にチェーファー８を備えている。このタイヤ２では、チェーファー８はクリンチ６と一体であり、単一の架橋ゴムから形成されている。チェーファー８とクリンチ６とが別体である場合でも、それぞれが単一の架橋ゴムから形成される。
【０００３】
タイヤ２のビード４の部分は、リム１２（図６）に嵌め合わされる。リム１２の形状は、例えば、ＪＡＴＭＡ規格において定められている。なお、タイヤ２のクリンチ６及びチェーファ−８を含んだビード４の部分は嵌合部１０とも称されている。
【０００４】
図６には、図５のタイヤ２の使用状態が示されている。図示されているように、嵌合部１０がリム１２に嵌め合わされた状態では、その半径方向内側面１４はリム１２のシート１６に載せられる。この嵌合部１０の軸方向外側面１８は、リム１２のフランジ２０と当接する。この内側面１４及び外側面１８の形状は通常、このリム１２の形状に合わせられる。
【０００５】
操縦安定性の観点から、高い剛性を有する嵌合部１０を採用することがある。しかし、このような嵌合部１０は、乗り心地を阻害する恐れがある。乗り心地の観点から、低い剛性を有する嵌合部１０を採用することがある。しかし、このような嵌合部１０は、操縦安定性を阻害する恐れがある。嵌合部１０の剛性は、タイヤ２の性能に影響する。嵌合部１０の剛性に関する検討例が、例えば、特開２００１−１４６１０５公報に開示されている。
【先行技術文献】
【特許文献】
【０００６】
【特許文献１】特開２００１−１４６１０５公報
【発明の概要】
【発明が解決しようとする課題】
【０００７】
タイヤ２の、リム１２との接触状態は、重要である。そこで、発明者らは、荷重によってタイヤ２に負荷をかけて、このタイヤ２の嵌合部１０とリム１２との接触状態を確認した。その結果、このタイヤ２では、嵌合部１０がリム１２に対して動きやすいことが判明した。
【０００８】
走行状態にあるタイヤ２では、変形と復元とが繰り返される。このため、リム１２に対して動きやすい嵌合部１０はダメージを受けやすい。この嵌合部１０は、タイヤ２の耐久性に影響する。しかも、嵌合部１０がリム１２に対して動きやすい場合、車体から路面、又は、路面から車体への力の伝達が阻害されてしまう。この嵌合部１０は、微少舵角時の応答性、手応え等の操縦安定性にも影響する。
【０００９】
本発明は、かかる現状に鑑みてなされたものであり、その目的は、耐久性及び操縦安定性に優れる空気入りタイヤの提供にある。
【課題を解決するための手段】
【００１０】
本発明に係る空気入りタイヤは、
その外面がトレッド面をなすトレッドと、
それぞれが上記トレッドの端から半径方向略内向きに延びる一対のサイドウォールと、  それぞれがサイドウォールの端から半径方向略内向きに延びる一対のクリンチと、
それぞれがコアを有し且つクリンチよりも軸方向内側に位置する一対のビードと、
上記トレッド及び上記サイドウォールの内側に沿って一方のビードと他方のビードとの間に架け渡されたカーカスとを備えており、
上記クリンチが、半径方向内側に位置する内側クリンチと、この内側クリンチの半径方向外側に位置する外側クリンチとを有しており、
上記ビード及びクリンチの部分が、周方向に延在し、リムに嵌め合わされる嵌合部を構成しており、
この嵌合部が、その外面として、半径方向内側に位置する底面と、この底面の半径方向外側に位置するサイド面とを有しており、
このサイド面が、周方向に延在する凹みを有しており、
この凹みの底が、上記内側クリンチ内に位置しており、
上記外側クリンチのゴム硬度Ｈｓｏが、内側クリンチのゴム硬度Ｈｓｉより高くされている。
【００１１】
好ましくは、上記外側クリンチのゴム硬度Ｈｓｏと、内側クリンチのゴム硬度Ｈｓｉとの差Ｈｓｏ−Ｈｓｉが、２以上５以下である。
【００１２】
好ましくは、上記外側クリンチのゴム硬度Ｈｓｏが、６７以上６９以下である。
【００１３】
好ましくは、上記内側クリンチのゴム硬度Ｈｓｉが、６３を超えている。
【００１４】
好ましくは、上記底面が、その軸方向外側にヒールを有しており、
このタイヤの周方向に対して垂直な断面において、上記底面の軸方向外側端を第一基準点とし、この第一基準点を通り軸方向に延びる仮想直線を第一基準線とし、この第一基準点を通り半径方向に延びる仮想直線を第二基準線としたとき、
上記ヒールが上記第一基準線上に中心を有し上記第一基準点を始点とする第一円弧で表され、
上記第一基準点において、上記ヒールと上記サイド面とが接しており、
上記凹みが、上記第二基準線から軸方向内向きに窪んでおり、
上記第一基準点から上記凹みの底までの軸方向距離ｄが１．０ｍｍ以上２．０ｍｍ以下である。
【００１５】
好ましくは、上記ビードが、コアと、このコアから半径方向外向きに延びるエイペックスとを備えており、上記凹みの底が、上記コアの中心よりも半径方向外側に位置している。
【発明の効果】
【００１６】
本発明に係る空気入りタイヤでは、嵌合部のサイド面が周方向に延在する凹みを有している。このため、このタイヤがリムに嵌め合わされたとき、この嵌合部はこの凹みを起点に折れ曲がる。これにより、この嵌合部は、主に、この凹みより半径方向外側の部分とこの凹みより半径方向内側の部分とでリムに支持される。この凹みの部分のクリンチゴムの硬度は比較的低いので折れ曲がりやすい。一方、凹みの底より半径方向外方のクリンチゴムの硬度は比較的高いので、リムにしっかりと圧接して変形しにくい。このゴム硬度の分布は、リムに対する嵌合部の動きの抑制に効果的に寄与しうる。このタイヤでは、嵌合部はリムに対して動きにくい。この嵌合部は、ダメージを受けにくい。このタイヤは、耐久性に優れる。車体から路面、又は、路面から車体へ、力が効果的に伝達されるので、このタイヤは、操縦安定性に優れる。
【図面の簡単な説明】
【００１７】
【図１】図１は、本発明の一実施形態に係る空気入りタイヤの一部が示された断面図である。
【図２】図２は、図１のタイヤの使用状態が示された断面図である。
【図３】図３は、図１のタイヤの製造の様子が示された断面図である。
【図４】図４は、図３のモールドが示された断面図である。
【図５】図５は、従来の空気入りタイヤの一部が示された断面図である。
【図６】図６は、図５のタイヤの使用状態が示された断面図である。
【発明を実施するための形態】
【００１８】
以下、適宜図面が参照されつつ、好ましい実施形態に基づいて本発明が詳細に説明される。
【００１９】
図１には、空気入りタイヤ２２が示されている。この図１には、このタイヤ２２の、周方向に対して垂直な断面の一部が示されている。図１において、上下方向がタイヤ２２の半径方向であり、左右方向がタイヤ２２の軸方向であり、紙面に垂直な方向がタイヤ２２の周方向である。図１において、一点鎖線で示される中心線ＣＬは、タイヤ２２の赤道面をも表わす。このタイヤ２２の形状は、トレッドパターンを除き、赤道面に対して対称である。
【００２０】
このタイヤ２２は、トレッド２４、サイドウォール２６、クリンチ２８、ビード３０、カーカス３２、ベルト３４、バンド３６、インナーライナー３８、クッション層４０及びチェーファー４２を備えている。このタイヤ２２は、チューブレスタイプである。このタイヤ２２は、四輪自動車、より詳細には、乗用車に装着される。
【００２１】
トレッド２４は、半径方向外向きに凸な形状を呈している。トレッド２４は、路面と接触するトレッド面４６を形成する。トレッド面４６には溝４８が刻まれている。この溝４８により、トレッドパターンが形成されている。トレッド２４は、ベース層５０とキャップ層５２とを有している。キャップ層５２は、ベース層５０の半径方向外側に位置している。キャップ層５２は、ベース層５０に積層されている。ベース層５０は、接着性に優れた架橋ゴムからなる。ベース層５０の典型的な基材ゴムは天然ゴムである。キャップ層５２は、耐摩耗性、耐熱性及びグリップ性に優れた架橋ゴムからなる。
【００２２】
サイドウォール２６は、トレッド２４の端から半径方向略内向きに延びている。このサイドウォール２６の半径方向外側端は、トレッド２４と接合されている。このサイドウォール２６の半径方向内側端は、後述する外側クリンチ２８ｏと接合されている。このサイドウォール２６は、耐カット性及び耐候性に優れた架橋ゴムからなる。このサイドウォール２６は、カーカス３２の損傷を防止する。サイドウォール２６は、リブ５４を備えている。リブ５４は、軸方向外側に向かって突出している。このタイヤ２２が装着されるリムのフランジの損傷を、リブ５４は防止する。
【００２３】
クリンチ２８は、サイドウォール２６の端から半径方向略内向きに延びている。つまり、クリンチ２８はサイドウォール２６の半径方向略内側に位置している。クリンチ２８は、ビード３０及びカーカス３２よりも軸方向外側に位置している。クリンチ２８は、リムのフランジと当接する。クリンチ２８は、耐摩耗性に優れた架橋ゴムからなる。
【００２４】
クリンチ２８は、互いに特性の異なる二種類の架橋ゴムからなる層同士が接合されたものである。この二種類の層は、半径方向外方の外側クリンチ２８ｏ、及び、半径方向内方の内側クリンチ２８ｉである。後述するように、内側クリンチ２８ｉ内に凹み１００の底Ｐｂが位置するようにされている。外側クリンチ２８ｏのゴムは比較的高硬度であり、内側クリンチ２８ｉのゴムは比較的低硬度である。外側クリンチ２８ｏは、内側クリンチ２８ｉよりそのゴム硬度が高い。外側クリンチ２８ｏの半径方向外端の位置は、クリンチ２８の半径方向外端の位置ということになる。外側クリンチ２８ｏと内側クリンチ２８ｉとの境界位置Ｐｇについては後述される。
【００２５】
ビード３０は、クリンチ２８の軸方向内側に位置している。ビード３０は、コア５６と、このコア５６から半径方向外向きに延びるエイペックス５８とを備えている。コア５６はリング状であり、巻回された非伸縮性ワイヤーを含む。ワイヤーの典型的な材質はスチールである。エイペックス５８は半径方向外向きに先細りである。エイペックス５８は高硬度な架橋ゴムからなる。
【００２６】
カーカス３２は、第一カーカスプライ６０及び第二カーカスプライ６２からなる。第一カーカスプライ６０及び第二カーカスプライ６２は、両側のビード３０の間に架け渡されており、トレッド２４及びサイドウォール２６の内側に沿っている。第一カーカスプライ６０は、コア５６の周りにて、軸方向内側から外側に向かって折り返されている。この折り返しにより、第一カーカスプライ６０には、主部６０ａと折り返し部６０ｂとが形成されている。第二カーカスプライ６２は、コア５６の周りにて、軸方向内側から外側に向かって折り返されている。この折り返しにより、第二カーカスプライ６２には、主部６２ａと折り返し部６２ｂとが形成されている。第一カーカスプライ６０の折り返し部６０ｂの端は、第二カーカスプライ６２の折り返し部６２ｂの端６２ｅよりも半径方向外側に位置している。この折り返し部６０ｂの端６０ｅは、エイペックス５８の半径方向外側端５８ｅよりも半径方向外側に位置している。
【００２７】
第一カーカスプライ６０及び第二カーカスプライ６２のそれぞれは、並列された多数のコードとトッピングゴムとからなる。それぞれのコードが赤道面に対してなす角度の絶対値は、７５°から９０°である。換言すれば、このカーカス３２はラジアル構造を有する。コードは、有機繊維からなる。好ましい有機繊維として、ポリエステル繊維、ナイロン繊維、レーヨン繊維、ポリエチレンナフタレート繊維及びアラミド繊維が例示される。カーカス３２が、１枚のカーカスプライから形成されてもよい。
【００２８】
ベルト３４は、トレッド２４の半径方向内側に位置している。ベルト３４は、カーカス３２と積層されている。ベルト３４は、カーカス３２を補強する。ベルト３４は、内側層６４及び外側層６６からなる。図１から明らかなように、軸方向において、内側層６４の幅は外側層６６の幅よりも若干大きい。図示されていないが、内側層６４及び外側層６６のそれぞれは、並列された多数のコードとトッピングゴムとからなる。各コードは、赤道面に対して傾斜している。傾斜角度の絶対値は、通常は１０°以上３５°以下である。内側層６４のコードの赤道面に対する傾斜方向は、外側層６６のコードの赤道面に対する傾斜方向とは逆である。コードの好ましい材質は、スチールである。コードに、有機繊維が用いられてもよい。ベルト３４の軸方向幅は、タイヤ２２の最大幅の０．７倍以上が好ましい。ベルト３４が、３以上の層を備えてもよい。
【００２９】
バンド３６は、ベルト３４の半径方向外側に位置している。軸方向において、バンド３６の幅はベルト３４の幅よりも大きい。図示されていないが、このバンド３６は、コードとトッピングゴムとからなる。コードは、螺旋状に巻かれている。このバンド３６は、いわゆるジョイントレス構造を有する。コードは、実質的に周方向に延びている。周方向に対するコードの角度は、５°以下、さらには２°以下である。このコードによりベルト３４が拘束されるので、ベルト３４のリフティングが抑制される。コードは、有機繊維からなる。好ましい有機繊維としては、ナイロン繊維、ポリエステル繊維、レーヨン繊維、ポリエチレンナフタレート繊維及びアラミド繊維が例示される。
【００３０】
ベルト３４及びバンド３６は、補強層を構成している。ベルト３４のみから、補強層が構成されてもよい。バンド３６のみから、補強層が構成されてもよい。
【００３１】
インナーライナー３８は、カーカス３２の内側に位置している。インナーライナー３８は、カーカス３２の内面に接合されている。インナーライナー３８は、架橋ゴムからなる。インナーライナー３８には、空気遮蔽性に優れたゴムが用いられている。インナーライナー３８の典型的な基材ゴムは、ブチルゴム又はハロゲン化ブチルゴムである。インナーライナー３８は、タイヤ２２の内圧を保持する。
【００３２】
クッション層４０は、ベルト３４の端の近傍において、カーカス３２と積層されている。クッション層４０は、軟質な架橋ゴムからなる。クッション層４０は、ベルト３４の端の応力を吸収する。このクッション層４０により、ベルト３４のリフティングが抑制される。
【００３３】
チェーファー４２は、ビード３０の近傍に位置している。タイヤ２２がリムに組み込まれると、このチェーファー４２がこのリムと当接する。この当接により、ビード３０の近傍が保護される。この実施形態では、チェーファー４２は、内側クリンチ２８ｉと一体に形成されている。従って、チェーファー４２の材質は内側クリンチ２８ｉの材質と同じである。チェーファー４２が、布とこの布に含浸したゴムとから形成されていてもよい。チェーファー４２は、内側クリンチ２８ｉと一体に形成されなくてもよい。この場合、内側クリンチ２８ｉとチェーファー４２との境界Ｐｇは、後述する凹み１００の底Ｐｂから半径方向内方に２ｍｍ以上５ｍｍ以下の範囲とされるのが好ましい。
【００３４】
このタイヤ２２では、ビード３０の部分は周方向に延在している。このタイヤ２２がリムに組み込まれると、このビード３０の部分がこのリムに嵌め合わされる。このタイヤ２２では、ビード３０の部分は、周方向に延在し、クリンチ２８とともに、リムに嵌め合わされる嵌合部６８を構成している。この嵌合部６８の外面７０は、リムに嵌め合わされたときにこのリムと対向する。この外面７０は、タイヤ２２の外面の一部である。この嵌合部６８の内面７２は、タイヤ２２の内面の一部である。
【００３５】
このタイヤ２２では、嵌合部６８は、底面７４と、サイド面７６とを備えている。底面７４は、この嵌合部６８の半径方向内側に位置している。サイド面７６は、この嵌合部６８の軸方向外側に位置している。サイド面７６は、底面７４よりも半径方向外側に位置している。
【００３６】
図２には、このタイヤ２２の嵌合部６８がリム７８に嵌め合わされている様子が示されている。図２において、上下方向がタイヤ２２の半径方向であり、左右方向がタイヤ２２の軸方向であり、紙面との垂直方向がタイヤ２２の周方向である。
【００３７】
リム７８は、軸方向に延びるシート８０と、このシート８０から半径方向外向きに延びるフランジ８２とを備えている。図示されているように、タイヤ２２がリム７８に組み込まれると、嵌合部６８の底面７４は主にシート８０と接触する。この嵌合部６８のサイド面７６は主に、フランジ８２と接触する。本明細書において、リム７８は正規リムである。正規リムとは、タイヤ２２が依拠する規格において定められたリムを意味する。ＪＡＴＭＡ規格における「標準リム」、ＴＲＡ規格における「Design Rim」、及びＥＴＲＴＯ規格における「Measuring Rim」は、正規リムである。
【００３８】
このタイヤ２２は、次のようにして製造される。図示されていないが、このタイヤ２２を製造する場合、フォーマーのドラム上で、トレッド２４、サイドウォール２６等の部材が組み合わされる。これにより、ローカバーが得られる。ローカバーは、未架橋のタイヤ２２である。ローカバーが組み立てられる工程は、成形工程とも称されている。
【００３９】
ローカバーは、モールドに投入される。このとき、ブラダーはローカバーの内側に位置する。ブラダーにガスが充填されると、ブラダーは膨張する。これにより、ローカバーは変形する。モールドが締められ、ブラダーの内圧が高められる。なお、ブラダーに代えて中子が用いられてもよい。中子は、トロイダル状の外面を備える。この外面は、空気が充填されその内圧が正規内圧の５％に保持された状態にあるタイヤ２２の内面の形状に近似される。
【００４０】
図３には、図１のタイヤ２２の断面の一部とともに、モールド８４及びブラダー８６が示されている。この図３に示されているのは、モールド８４とブラダー８６との間に形成されたキャビティ８８に、ローカバー９０が投入されている様子である。この図３において、上下方向がタイヤ２２の半径方向であり、左右方向がタイヤ２２の軸方向であり、紙面との垂直方向がタイヤ２２の周方向である。
【００４１】
図示されているように、モールド８４が締められると、ローカバー９０はモールド８４とブラダー８６とに挟まれて加圧される。ローカバー９０は、モールド８４及びブラダー８６からの熱伝導により、加熱される。加圧と加熱とにより、ローカバー９０のゴム組成物が流動する。加熱によりゴム組成物が架橋反応を起こし、図１に示されたタイヤ２２が得られる。ローカバー９０が加圧及び加熱される工程は、架橋工程とも称されている。
【００４２】
架橋工程では、膨張したブラダー８６がモールド８４のキャビティ面９２にローカバー９０を押し付ける。ゴムは、流動し、キャビティ面９２にめり込む。これにより、タイヤ２２の外面が形成される。この外面には、前述のトレッド面４６の溝４８が含まれる。サイドウォール２６に文字、記号等の装飾物が設けられている場合は、この装飾物もこの外面に含まれる。
【００４３】
本発明では、特に言及がない限り、タイヤ２２の外面の輪郭は、モールド８４のキャビティ面９２に基づいて決められる。この外面の一部をなすトレッド面４６に溝４８がある場合は、この溝４８がないと仮定して得られる仮想トレッド面を用いて輪郭は表される。サイドウォール２６に装飾物が設けられている場合は、この装飾物がないと仮定して得られる、サイドウォール２６の仮想外面を用いて、この輪郭は表される。嵌合部６８に装飾物が設けられている場合は、この装飾物がないと仮定して得られる、嵌合部６８の仮想外面を用いて、この輪郭は表される。
【００４４】
前述の通り、このタイヤ２２の嵌合部６８は底面７４及びサイド面７６を備えている。この底面７４及びサイド面７６は、嵌合部６８の外面７０を構成している。
【００４５】
このタイヤ２２では、底面７４はその軸方向外側にヒール９４を備えている。後述するが、このヒール９４は円弧で表される。図３において、符号Ｐ１はヒール９４の軸方向外側端である。このタイヤ２２では、ヒール９４の軸方向外側端Ｐ１が底面７４の軸方向外側端である。この底面７４は、シート面９６をさらに備えている。シート面９６は、ヒール９４よりも軸方向内側に位置している。シート面９６は、嵌合部６８のトゥ９８から半径方向外側に傾斜しつつ軸方向外向きに延在している。
【００４６】
図３に示されるように、このタイヤ２２は、サイド面７６に凹み１００を有している。凹み１００は、軸方向内向きに凸な形状を呈している。凹み１００は、周方向に延在している。このタイヤ２２では、凹み１００はビード３０の軸方向外側に位置している。この凹みの後述する１００の底Ｐｂが、内側クリンチ２８ｉ内に位置している。
【００４７】
このタイヤ２２では、凹み１００は軸方向内向きに凸な形状を呈していればよく、その形状に特に制限はない。したがって、このタイヤ２２では、タイヤ周方向に垂直な断面において、この凹み１００の輪郭は単一の円弧状を呈していてもよい。この凹み１００の輪郭が、複数の円弧の組み合わせを呈してもよい。この凹み１００の輪郭が、１又は２以上の直線及び円弧の組み合わせを呈してもよい。図３において、符号Ｐｂは、凹み１００の最も軸方向内側の地点を表している。本願においては、この地点Ｐｂが凹み１００の底である。この底Ｐｂの形状が半径方向に延びる直線状である場合は、この直線の半径方向内側端が底Ｐｂとされる。
【００４８】
前述の通り、図３の符号Ｐ１は底面７４の軸方向外側端である。本願においては、この外側端Ｐ１は第一基準点とも称される。実線Ｘ１は、第一基準点Ｐ１を通り軸方向に延びる仮想直線である。本願においては、仮想直線Ｘ１は第一基準線とも称される。実線Ｘ２は、第一基準点Ｐ１を通り半径方向に延びる仮想直線である。本願においては、仮想直線Ｘ２は第二基準線とも称される。
【００４９】
前述したように、このタイヤ２２では、嵌合部６８のサイド面７６は周方向に延在する凹み１００を有している。このタイヤ２２がリム７８に嵌め合わされたとき、この凹み１００はリム７８のフランジ８２と対向する。図示されているように、この凹み１００は第二基準線Ｘ２から軸方向内向きに窪んでいる。このため、このタイヤ２２がリム７８に嵌め合わされたとき、この嵌合部６８は、この凹み１００より半径方向外側の部分が軸方向外向きに拡がるように、この凹み１００を起点に折れ曲がる。これにより、この嵌合部６８は、主に、この凹み１００よりも半径方向外側の部分とこの凹み１００よりも半径方向内側の部分とでリム７８に支持される。このタイヤ２２では、凹み１００よりも半径方向外側の部分とこの凹み１００よりも半径方向内側の部分とがリム７８を挟み込むようにして、この嵌合部６８はリム７８に固定される。
【００５０】
しかも、凹み１００の底Ｐｂが存在する内側クリンチ２８ｉのゴムは、前述のとおり比較的低硬度である。凹み１００の底Ｐｂより半径方向外方に位置しうる外側クリンチ２８ｏのゴムは、比較的高硬度である。従って、嵌合部６８は、この凹み１００を起点に折れ曲がり易い。一方、凹み１００よりも半径方向外側の部分は、リム７８にしっかりと圧接し、倒れ込み等の変形が抑制される。このタイヤ２２では、嵌合部６８はリム７８に対して動きにくい。この嵌合部６８は、ダメージを受けにくい。このタイヤ２２は、耐久性に優れる。車体から路面、又は、路面から車体へ、力が効果的に伝達されるので、このタイヤ２２は、操縦安定性に優れる。
【００５１】
図３に示されるように、上記外側クリンチ２８ｏと内側クリンチ２８ｉとの境界位置Ｐｇは、上記凹み１００の底Ｐｂから、半径方向外方に距離Ｈｇだけ離間した位置とされる。この離間距離Ｈｇは、３ｍｍ以上８ｍｍ以下の範囲内に形成されるのが好ましい。この離間距離Ｈｇを、３ｍｍ以上とすることにより、リム組み時に、凹み１００の部分の折れ曲がりを効果的に発生させうる。この離間距離Ｈｇを、８ｍｍ以下とすることにより、リム組み時に、凹み１００よりも半径方向外側の部分がリム７８にしっかりと圧接し、倒れ込み等の変形が抑制されうる。外側クリンチ２８ｏと内側クリンチ２８ｉとの境界線ＤＬは、クリンチ２８の外面上の上記離間距離Ｈｇにおける点Ｐｇを通り、カーカス３２の外面に対する法線に一致するのが好ましい。
【００５２】
前述したとおり、外側クリンチ２８ｏは、内側クリンチ２８ｉより硬度が高い。この場合、クリンチの全体が同一ゴム構成である場合と較べて、前述したリム組み時の嵌合部６８の作用効果が奏されやすくなる。その結果、操縦安定性及び耐久性が向上する。
【００５３】
外側クリンチ２８ｏのゴム硬度Ｈｓｏと内側クリンチ２８ｉのゴム硬度Ｈｓｉとの差（Ｈｓｏ−Ｈｓｉ）は、２以上５以下であるのが好ましい。このゴム硬度は、「ＪＩＳ  Ｋ６２５３」の規定に準じ、タイプＡのデュロメータによって常温下で測定される。以下、このゴム硬度をＪＩＳ  Ｋ６２５３タイプＡでの硬度ともいう。この差が２未満であると、外側クリンチと内側クリンチとで特性差が小さく、前述した嵌合部６８の作用効果が薄れてしまうおそれがある。一方、この差が５を超えると、外側クリンチと内側クリンチとの境界面が破壊の起点になるおそれがある。
【００５４】
外側クリンチ２８ｏのゴム硬度Ｈｓｏは、ＪＩＳ  Ｋ６２５３タイプＡで６７以上６９以下が好ましい。このゴム硬度ＨｓｏがＪＩＳ  Ｋ６２５３タイプＡで６７未満の場合、内側クリンチ２８ｉのゴム硬度Ｈｓｉに近づくため、上記嵌合部１０の動きのさらなる抑制効果が期待できなくなる。一方、このゴム硬度ＨｓｏがＪＩＳ  Ｋ６２５３タイプＡで６９を超えると、ゴムのたわみが小さくなりすぎ、乗り心地が低下するおそれが出てくる。
【００５５】
内側クリンチ２８ｉのゴム硬度Ｈｓｉは、ＪＩＳ  Ｋ６２５３タイプＡで６３を超え６７以下であることが好ましい。このゴム硬度ＨｓｉがＪＩＳ  Ｋ６２５３タイプＡで６３以下の場合、ゴムが撓みやすくなり、嵌合部６８の動きの抑制効果が低下するおそれがある。一方、このゴム硬度Ｈｓｉが、ＪＩＳ  Ｋ６２５３タイプＡで６７を超えると、嵌合部６８の動きのさらなる抑制効果が期待できなくなる。外側クリンチ２８ｏのゴム硬度Ｈｓｏが６７以上６９以下である場合、内側クリンチのゴム硬度は６５であるのが最も好ましい。
【００５６】
このタイヤ２２では、嵌合部６８のヒール９４は、第一基準線Ｘ１上に中心を有し第一基準点Ｐ１を始点とする円弧状を呈している。ヒール９４が円弧状を呈しているので、このタイヤ２２がリム７８に嵌め合わされたとき、この嵌合部６８はリム７８と十分に密着する。なお、このヒール９４を表す円弧は第一円弧とも称される。
【００５７】
図３において、符号Ｐｄは凹み１００の半径方向内側端を表している。このタイヤ２２では、この内側端Ｐｄがサイド面７６の半径方向内側端である。このタイヤ２２では、サイド面７６が、この内側端Ｐｄと底面７４の軸方向外側端Ｐ１とを結ぶ平面（直線）を含んでもよい。この場合、この平面の半径方向内側端がサイド面７６の半径方向内側端となる。嵌合部６８がリム７８と接触する圧力は、嵌合部６８のリム７８に対する動きに影響する。小さな接触面積は、大きな接触圧力を招来する。大きな接触圧力は、嵌合部６８のリム７８に対する動きを抑えうる。小さな接触面積の観点から、このタイヤ２２のように、凹み１００の半径方向内側端Ｐｄがサイド面７６の半径方向内側端となるように、このサイド面７６の輪郭が構成されるのが好ましい。つまり、半径方向において、内側端Ｐｄは外側端Ｐ１と一致しているのが好ましい。
【００５８】
このタイヤ２２では、凹み１００の半径方向内側部分、すなわち、この凹み１００の裾１０２は、サイド面７６よりも軸方向内側に中心を有する円弧で表されている。この裾１０２が、サイド面７６よりも軸方向外側に中心を有する円弧で表されてもよい。この裾１０２が、半径方向に対して傾斜して延在する直線で表されてもよい。欠けの原因となりうるようなエッジの形成を避けるとの観点から、この裾１０２はサイド面７６よりも軸方向内側に中心を有する円弧で表されるのが好ましい。この裾１０２が円弧で表されている場合、この裾１０２を表す円弧は第二円弧と称される。
【００５９】
このタイヤ２２では、第一基準点Ｐ１において、ヒール９４とサイド面７６とは接している。すなわち、タイヤの周方向に垂直な断面において、ヒール９４とサイド面７６との接合点では、両者９４、７６が同一の接線を共有している。このため、このタイヤ２２がリム７８に嵌め合わされたとき、この嵌合部６８はリム７８と十分に密着する。特に、このタイヤ２２では、欠けの原因となりうるようなエッジの形成を避けつつ、嵌合部６８のリム７８に対する動きが効果的に抑制されうるとの観点から、凹み１００の半径方向内側端Ｐｄがサイド面７６の半径方向内側端となるようにこのサイド面７６の輪郭が構成され、この凹み１００の裾１０２がサイド面７６よりも軸方向内側に中心を有する円弧状を呈しているのが好ましい。言い換えれば、このサイド面７６の凹み１００が、第一基準点Ｐ１において、上記ヒール９４と接し、サイド面７６よりも内側に中心を有する円弧を含むのが好ましい。
【００６０】
図３において、実線Ｘ３は、凹み１００の底Ｐｂを通り半径方向に延びる仮想直線である。本願においては、仮想直線Ｘ３は第三基準線とも称される。両矢印ｄは、第二基準線Ｘ２から第三基準線Ｘ３までの軸方向距離を表している。この距離ｄは、第一基準点Ｐ１から凹み１００の底Ｐｂまでの軸方向距離である。この距離ｄは、凹み１００の深さに相当する。
【００６１】
このタイヤ２２では、距離ｄは１．０ｍｍ以上２．０ｍｍ以下であるのが好ましい。この距離ｄが１．０ｍｍ以上に設定されることにより、凹み１００が嵌合部６８の折れ曲がりに効果的に寄与しうる。これにより嵌合部６８のリム７８に対する動きが抑えられるので、この嵌合部６８はダメージを受けにくい。このタイヤ２２は、耐久性に優れる。車体から路面、又は、路面から車体へ、力が効果的に伝達されるので、このタイヤ２２は、操縦安定性に優れる。この観点から、この距離ｄは１．２ｍｍ以上がさらに好ましい。この距離ｄが２．０ｍｍ以下に設定されることにより、凹み１００の底Ｐｂにおけるクリンチ２８の厚みが適切に維持される。このタイヤ２２の凹み１００の部分では、カーカス３２に含まれるコードの外側に位置するゴムが十分な厚みを有しているので、コードの露出が防止される。この観点から、この距離ｄは１．５ｍｍ以下がさらに好ましい。
【００６２】
前述したように、嵌合部６８は、凹み１００より半径方向外側の部分が軸方向外向きに拡がるように、この凹み１００を起点に折れ曲がる。このタイヤ２２では、外側クリンチ２８ｏのゴム硬度が高くされている。この比較的高硬度の外側クリンチ２８ｏが、凹み１００を起点とした嵌合部６８の過剰な折れ曲がりを抑制する。つまり、外側クリンチ２８ｏは、リム７８に対する嵌合部６８の動きの抑制に効果的に寄与しうる。このタイヤ２２の嵌合部６８は、リム７８に対して動きにくい。この嵌合部６８は、ダメージを受けにくい。このタイヤ２２は、耐久性に優れる。車体から路面、又は、路面から車体へ、力が効果的に伝達されるので、このタイヤ２２は、操縦安定性に優れる。
【００６３】
図３において、実線ＢＢＬはビードベースラインを表している。このビードベースラインは、タイヤ２２が装着されるリム７８のリム径（ＪＡＴＭＡ参照）を規定する線に相当する。このビードベースラインは、軸方向に延びる。両矢印Ｈｂは、ビードベースラインから凹み１００の底Ｐｂまでの半径方向高さを表している。なお、この図３において、符号Ｐｃはビード３０のコア５６の中心を表している。
【００６４】
このタイヤ２２では、高さＨｂは２０ｍｍ以下が好ましい。これにより、凹み１００よりも半径方向外側の部分とこの凹み１００よりも半径方向内側の部分とがリム７８を挟み込むようにして嵌合部６８がリム７８に固定される。この嵌合部６８は、リム７８に対して動きにくい。このタイヤ２２は、耐久性及び操縦安定性に優れる。この観点から、この高さＨｂは１７ｍｍ以下がより好ましく、１５ｍｍ以下がさらに好ましい。
【００６５】
このタイヤ２２では、高さＨｂは５ｍｍ以上が好ましい。これにより、凹み１００が嵌合部６８の折れ曲がりに効果的に寄与しうる。この場合においても、嵌合部６８のリム７８に対する動きが抑えられるので、このタイヤ２２は、耐久性及び操縦安定性に優れる。この観点から、この高さＨｂは６ｍｍ以上がより好ましく、８ｍｍ以上がさらに好ましい。
【００６６】
前述したように、このタイヤ２２のビード３０のコア５６は巻回された非伸縮性ワイヤーを含む。このコア５６は、硬い。硬質なコア５６は、凹み１００を起点とする嵌合部６８の折れ曲がりに影響する。このタイヤ２２では、凹み１００が嵌合部６８の折れ曲がりに効果的に寄与しうるとの観点から、凹み１００の底Ｐｂはコア５６の中心Ｐｃよりも半径方向外側に位置しているのが好ましい。この底Ｐｂは、コア５６の半径方向外側端５６ｅよりも半径方向外側に位置しているのがより好ましい。このタイヤ２２は、耐久性及び操縦安定性に優れる。
【００６７】
図３において、符号Ｐ２は第三基準線Ｘ３と嵌合部６８の底面７４との交点を表している。本願においては、この交点Ｐ２は第二基準点とも称される。両矢印Ｄは、この第二基準点Ｐ２から凹み１００の底Ｐｂまでの半径方向距離を表している。
【００６８】
凹み１００の深さ及びこの凹み１００の底Ｐｂの位置は、嵌合部６８の折れ曲がりの容易及びその程度に影響する。凹み１００が嵌合部６８の折れ曲がりに効果的に寄与しうるとの観点から、距離Ｄに対する、距離ｄの比（ｄ／Ｄ）は、０．１以上が好ましく、０．５以下が好ましい。これにより、このタイヤ２２では、嵌合部６８のリム７８に対する動きが効果的に抑えられる。このタイヤ２２は、耐久性及び操縦安定性に優れる。
【００６９】
このタイヤ２２では、距離Ｄは１５ｍｍ以下が好ましい。これにより、凹み１００よりも半径方向外側の部分とこの凹み１００よりも半径方向内側の部分とがリム７８を挟み込むようにして嵌合部６８がリム７８に固定される。この嵌合部６８は、リム７８に対して動きにくい。リム７８に対する動きが抑えられた嵌合部６８は、タイヤ２２の耐久性及び操縦安定性に寄与しうる。このタイヤ２２では、この距離Ｄは５ｍｍ以上が好ましい。これにより、凹み１００が嵌合部６８の折れ曲がりの起点として効果的に機能しうる。この場合においても、嵌合部６８はリム７８に対して動きにくい。このタイヤ２２は、耐久性及び操縦安定性に優れる。
【００７０】
図４には、図３に示されたモールド８４の一部が示されている。この図４に示されたモールド８４のキャビティ面９２は、このタイヤ２２の嵌合部６８の外面７０に対応する。図４において、上下方向がタイヤ２２の半径方向に相当し、左右方向がタイヤ２２の軸方向に相当し、紙面との垂直方向がタイヤ２２の周方向に相当する。
【００７１】
図４において、符号Ｒ１はヒール９４を表す第一円弧の曲率半径を表している。符号Ｒ２は、凹み１００の裾１０２を表す第二円弧の曲率半径を表している。前述の通り、実線Ｘ１は第一基準点Ｐ１を通り軸方向に延びる第一基準線である。
【００７２】
前述の通り、円弧で表されたヒール９４は嵌合部６８のリム７８との密着に寄与しうる。このタイヤ２２では、第二円弧の曲率半径Ｒ２は１１ｍｍ以下が好ましい。これにより、凹み１００の裾１０２が大きな接触圧力に寄与しうる。このタイヤ２２では、嵌合部６８は、リム７８に対して動きにくい。リム７８に対する動きが抑えられた嵌合部６８は、タイヤ２２の耐久性及び操縦安定性に寄与しうる。この観点から、この曲率半径Ｒ２は８ｍｍ以下がより好ましく、４ｍｍ以下がさらに好ましく、３ｍｍ以下が特に好ましい。欠けの原因となりうるようなエッジの形成を防止するとの観点から、この曲率半径Ｒ２は、１ｍｍ以上が好ましく、２ｍｍ以上がより好ましい。
【００７３】
図４において、実線ＢＢＬはビードベースラインを表している。符号Ｐｆは、ビードベースラインからの半径方向高さＨｆが２０ｍｍとなるこのタイヤ２２の外面上の地点に相当するキャビティ面９２上の地点を表している。両矢印ｈは、第一基準点Ｐ１から地点Ｐｆまでの軸方向距離を表している。この距離ｈは、モールド８４のキャビティ面９２に基づいて計測される。
【００７４】
このタイヤ２２では、距離ｈは３．５ｍｍ以上５．０ｍｍ以下が好ましい。この距離ｈが３．５ｍｍ以上に設定されることにより、凹み１００よりも半径方向外側の部分とこの凹み１００よりも半径方向内側の部分とがリム７８を挟み込むようにして嵌合部６８がリム７８に固定される。この嵌合部６８は、リム７８に対して動きにくい。このタイヤ２２は、耐久性及び操縦安定性に優れる。この観点から、この距離ｈは４．０ｍｍ以上がより好ましい。この距離ｈが５．０ｍｍ以下に設定されることにより、嵌合部６８の剛性が適切に維持される。このタイヤ２２は、乗り心地に優れる。この観点から、この距離ｈは４．７ｍｍ以下がより好ましい。
【００７５】
図１において、実線ＢＢＬはビードベースラインを表している。前述の通り、符号Ｐｆはビードベースラインからの半径方向高さＨｆが２０ｍｍとなるこのタイヤ２２の外面上の地点である。両矢印Ｆは、カーカス３２から地点Ｐｆまでの厚みを表している。両矢印Ｇは、カーカス３２から凹み１００の底Ｐｂまでの厚みを表している。両矢印Ｈａは、ビードベースラインからタイヤ２２の赤道までの半径方向高さを表している。この高さＨａは、このタイヤ２２の断面高さである。厚みＦ及び厚みＧは、タイヤ２２をリム７８に組み込むことなく、図１に示された断面においてカーカス３２の外面に対する法線に沿って計測される。高さＨｆ及び断面高さＨａは、モールド８４のキャビティ面９２に基づいて計測される。
【００７６】
このタイヤ２２では、厚みＦの厚みＧに対する比（Ｆ／Ｇ）は２．３以上３．３以下が好ましい。この比（Ｆ／Ｇ）が２．３以上に設定されることにより、嵌合部６８の過大な倒れが抑えられる。これにより、リム７８に対する嵌合部６８の動きが効果的に抑えられる。このタイヤ２２は、耐久性及び操縦安定性に優れる。この比（Ｆ／Ｇ）が３．３以下に設定されることにより、嵌合部６８の剛性が適切に維持される。このタイヤ２２は、乗り心地に優れる。
【００７７】
このタイヤ２２では、断面高さＨａは１２５ｍｍ以下が好ましい。これにより、嵌合部６８の倒れに対するサイドウォール２６の影響が抑えられる。リム７８に対する嵌合部６８の動きが効果的に抑えられるので、このタイヤ２２は耐久性及び操縦安定性に優れる。このタイヤ２２では、この高さＨａは８５ｍｍ以上が好ましい。これにより、適正な輪郭を有する嵌合部６８が得られうる。
【００７８】
このタイヤ２２は、四輪自動車の前輪及び後輪のそれぞれに用いることができる。ところで、四輪自動車では、ハンドルを切ると前輪は進行方向に対して傾けられる。これにより、コーナリングフォースがタイヤ２２に発生し四輪自動車は旋回する。このとき、タイヤ２２にはその軸方向に力が付与される。前輪駆動タイプの四輪自動車では、後輪よりも前輪に大きな力が付与される。前述したように、リム７８に対する嵌合部６８の動きが抑制されているので、このタイヤ２２は、車体から路面、又は、路面から車体へ、力を伝えやすい。このため、このタイヤ２２は、四輪自動車の前輪に用いられるのが好ましい。車体から路面、又は、路面から車体へ、力を伝えやすいタイヤ２２は、ロードノイズを伝えやすい。四輪自動車の乗り心地の観点から、前輪のみにこのタイヤ２２を用いるのがより好ましい。
【００７９】
本発明では、特に言及された場合を除き、タイヤ２２の各部材の寸法及び角度は、タイヤ２２が正規リムに組み込まれ、正規内圧となるようにタイヤ２２に空気が充填された状態で測定される。測定時には、タイヤ２２には荷重がかけられない。前述したように、本明細書において正規リムとは、タイヤ２２が依拠する規格において定められたリムを意味する。本明細書において正規内圧とは、タイヤ２２が依拠する規格において定められた内圧を意味する。ＪＡＴＭＡ規格における「最高空気圧」、ＴＲＡ規格における「TIRE LOAD LIMITS AT VARIOUS COLD INFLATION PRESSURES」に掲載された「最大値」、及びＥＴＲＴＯ規格における「INFLATION PRESSURE」は、正規内圧である。乗用車用の場合は、内圧が１８０ｋＰａの状態で、寸法及び角度が測定される。本明細書において正規荷重とは、タイヤ２２が依拠する規格において定められた荷重を意味する。ＪＡＴＭＡ規格における「最高負荷能力」、ＴＲＡ規格における「TIRE LOAD LIMITS AT VARIOUS COLD INFLATION PRESSURES」に掲載された「最大値」、及びＥＴＲＴＯ規格における「LOAD CAPACITY」は、正規荷重である。
【実施例】
【００８０】
以下、実施例によって本発明の効果が明らかにされるが、この実施例の記載に基づいて本発明が限定的に解釈されるべきではない。
【００８１】
［実施例１］
図１に示された基本構成を備え、表１に示された仕様を備えた実施例１の空気入りタイヤを得た。このタイヤのサイズは「２２５／４０Ｒ１８」である。この実施例１では、外側クリンチ２８ｏのゴム硬度Ｈｓｏが、ＪＩＳ  Ｋ６２５３タイプＡで６８であり、内側クリンチ２８ｉのゴム硬度Ｈｓｉが、ＪＩＳ  Ｋ６２５３タイプＡで６５であった。外側クリンチ２８ｏのほうが、内側クリンチ２８ｉより高硬度である。この外側クリンチ２８ｏと内側クリンチ２８ｉとの境界位置Ｐｇの、凹みの底Ｐｂからの半径方向距離Ｈｇは、５ｍｍである。この実施例１では、凹みの底Ｐｂはコアの中心Ｐｃよりも半径方向外側に位置している。このことが、表中、「底」の欄に「ｏｕｔ」で表されている。
【００８２】
［実施例２−８］
図１に示された基本構成を備え、表１、２に示された仕様を備えた実施例２−８の空気入りタイヤを得た。各タイヤの、外側クリンチ２８ｏのゴム硬度及び内側クリンチ２８ｉのゴム硬度、並びに、内外のゴム硬度差は、表１、２に示されるとおりである。実施例２−８のその他の構成は、実施例１と同一構成とされた。
【００８３】
［比較例１］
比較例１は、従来のタイヤである。表１に示される通り、この比較例１には、クリンチのゴム硬度差及び凹みは設けられていない。その他は、実施例１と同じ構成とした。
【００８４】
［比較例２］
表１に示される通り、比較例２のタイヤでは、内外のクリンチのゴム硬度差が無い。比較例２のその他の構成は、実施例１と同一構成とされた。
【００８５】
［比較例３］
表１に示される通り、比較例３のタイヤでは、他の例とは異なり、外側クリンチ２８ｏのほうが、内側クリンチ２８ｉより、そのゴム硬度が低い。比較例３のその他の構成は、実施例１と同一構成とされた。
【００８６】
［比較例４］
表１に示される通り、比較例４のタイヤでは、凹みが設けられていない。その他は、実施例１と同じ構成とした。
【００８７】
［実施例９−１５］
第一基準点Ｐ１から凹みの底Ｐｂまでの軸方向距離ｄ、第二基準点Ｐ２から凹みの底Ｐｂまでの半径方向距離Ｄ、及び、距離ｄの距離Ｄに対する比（ｄ／Ｄ）を表３の通りとした他は実施例１と同様にして、実施例９−１５のタイヤを得た。
【００８８】
［耐久性］
タイヤを正規リムに組み込み、このタイヤに空気を充填して内圧を２５０ｋＰａとした。このタイヤをドラム式走行試験機に装着し、６．６８ｋＮの縦荷重をタイヤに負荷した。このタイヤを、１００ｋｍ／ｈの速度で、半径が１．７ｍであるドラムの上を走行させた。２０，０００ｋｍ走行後、タイヤの外観を観察し、損傷の程度を確認した。この結果が、比較例１を１００とした指数として、表１−３に示されている。数値が大きいほど、好ましい、つまり、通常の走行状態における耐久性に優れる。
【００８９】
［操縦安定性及び乗り心地］
タイヤを１８×８．０Ｊのリムに組み込み、このタイヤに内圧が２５０ｋＰａとなるように空気を充填した。このタイヤを、排気量が２４９９ｃｃである乗用車に装着した。ドライバーに、この乗用車をレーシングサーキットで運転させて、通常の走行状態における操縦安定性及び乗り心地を評価させた。この結果が、比較例１を１００とした指数として表１−３に示されている。数値が大きいほど好ましい。
【００９０】
【表１】
2015174526.tif 000003
【００９１】
【表２】
2015174526.tif 000004
【００９２】
【表３】
2015174526.tif 000005
【００９３】
表１−３に示されるように、実施例のタイヤでは、比較例のタイヤに比べて評価が高い。この評価結果から、本発明の優位性は明らかである。
【産業上の利用可能性】
【００９４】
以上説明されたタイヤは、種々の車両に適用されうる。
【符号の説明】
【００９５】
２、２２・・・タイヤ
４、３０・・・ビード
６、２８・・・クリンチ
８、４２・・・チェーファー
１０、６８・・・嵌合部
１２、７８・・・リム
１４・・・内側面
１６、８０・・・シート
１８・・・外側面
２０、８２・・・フランジ
２４・・・トレッド
２６・・・サイドウォール
２８ｉ・・・内側クリンチ
２８ｏ・・・外側クリンチ
３２・・・カーカス
３４・・・ベルト
４６・・・トレッド面
４８・・・溝
５６・・・コア
５８・・・エイペックス
６０・・・第一カーカスプライ
６２・・・第二カーカスプライ
７４・・・底面
７６・・・サイド面
８４・・・モールド
９２・・・キャビティ面
９４・・・ヒール
１００・・・凹み
【図１】
2015174526.tif 000006
【図２】
2015174526.tif 000007
【図３】
2015174526.tif 000008
【図４】
2015174526.tif 000009
【図５】
2015174526.tif 000010
【図６】
2015174526.tif 000011